(57)【要約】      （修正有）【課題】試験片保持部の角度調節を簡便かつ正確に行うことを可能とする写像性測定器を提供する。【解決手段】光源となるランプ２からの光をスリット３により試験片Ｓに入射させる光の像の大きさを調節し、スリットを通った光を第一のレンズ４により平行光にし、試験片保持部５に設置した試験片に照射し、試験片を反射もしくは透過した光を第二のレンズ１０により集光し、遮光部と透過部を有する光学くし１１を移動させ、光学くしを透過した光を受光器１２により受光することで試験片の写像性値を求める写像性測定器１において、試験片保持部の角度を任意の角度に変更可能な試験片角度調節機構を有し、試験片角度調節機構に角度位置合わせ機構を設けた写像性測定器である。【選択図】図１
0003209889.tif 000002
【実用新案登録請求の範囲】
【請求項１】
光源と、試験片に入射する光の像の大きさを調節するスリットと、前記光を平行光にする第一のレンズと、前記試験片を保持する試験片保持部と、前記平行光を前記試験片に反射もしくは透過させた光を集光する第二のレンズと、遮光部と透過部とを有する光学くしと、前記光学くしを移動させ、前記光学くしを透過した光を測定する受光器とを備え、前記試験片保持部を前記平行光に対し、任意の角度に変更可能な試験片角度調節機構を有し、前記試験片角度調節機構に角度位置合わせ機構を設けたことを特徴とする写像性測定器。
【請求項２】
前記試験片角度調節機構は、前記試験片保持部と、回転軸と、回転軸受部と、目盛盤とを有し、前記試験片保持部の下部に前記回転軸を接続し、前記目盛盤は円盤状であり、前記目盛盤の中心部に取付穴を有し、前記取付穴に前記回転軸受部を嵌挿し、前記回転軸を前記回転軸受部に挿入することで前記試験片保持部を前記平行光に対して任意の角度に変更可能にしたことを特徴とする請求項１に記載の写像性測定器。
【請求項３】
前記角度位置合わせ機構は、第一の金具と、第二の金具とを有し、前記第一の金具を前記目盛盤には接触せずに、前記目盛盤に対して垂直の角度となるように前記試験片保持部の下部に配置し、前記第二の金具を前記目盛盤に配置し、前記第一の金具と前記第二の金具を接触させることで前記試験片保持部の角度を合わせることを特徴とする請求項２に記載の写像性測定器。
【請求項４】
前記角度位置合わせ機構は、前記試験片保持部の下部にプランジャを付設し、前記目盛盤に前記プランジャの凸部を挿入する孔を設け、前記凸部を前記孔に挿入することで、前記試験片保持部の角度を合わせることを特徴とする請求項２に記載の写像性測定器。
【考案の詳細な説明】
【技術分野】
【０００１】
本考案は、各種金属や塗装面等の表面に写る物体の像又はガラスやプラスチック等を透過して見える物体の像の写像性（像鮮明度）を測定する写像性測定器に関する。
【背景技術】
【０００２】
塗装、プラスチック、着色アルミニウム、カラーステンレスなどの工業製品は、その外観の仕上がりの優劣が販売、価格競争に大きな影響を与える。特に、自動車、家電製品などの外観の色、光沢、ヘーズ(曇り度)、写像性（像鮮明度）の測定は製品管理、検査の重要な課題であり、各産業界では種々の方法が採用され、実施されている。
【０００３】
写像性は、金属や塗装表面に映り込んだ物体の像、又はフィルムなどを透過して見える物体の像が、鮮明にゆがみなく見えるかという度合いであり、光沢値やヘーズ値ではあらわせない視感に合った値で評価できるため、既に多くの産業分野で利用されている。
【０００４】
写像性の測定原理は、光源の光をスリットに通過させ、レンズで平行光として、この平行光を試験片の表面に投影し、試験片を反射もしくは透過した光をレンズによって写像性測定用光学くしの上に結像させた状態で、この光学くしを左右に移動させて、写像性用光学くし上の遮光部、透過部を通して受光器に光の変化を与え、透過部の透過光の最大値Ｍ、遮光部の光のモレによって生じる透過光の最小値ｍをそれぞれ測定して、（Ｍ−ｍ）÷（Ｍ＋ｍ）×１００の演算によって写像性の値を求めるものである。像がくっきりと見えるとき写像性値は高く、像がぼやけて見えるとき写像性値は低くなる。（特許文献１）
【０００５】
写像性の測定には、透過測定、反射測定（４５度・６０度）の３つの光学条件が主に用いられており、反射測定では、例えばアルミニウムはプラスチックと比較すると反射率が高いなど、試験片の材質等により反射率が異なっているため、規格では写像性を測定する際の試験片と光源との角度の光学条件を試験片の材質によって異なる規定をしている。(非特許文献１と非特許文献２参照)
【先行技術文献】
【特許文献】
【０００６】
【特許文献１】特開平５−２１５６８１
【非特許文献】
【０００７】
【非特許文献１】ＪＩＳ  Ｈ  ８６８６−２
【非特許文献２】ＪＩＳ  Ｋ  ７３７４
【考案の概要】
【考案が解決しようとする課題】
【０００８】
１台の写像性測定器で透過、４５度、６０度等の任意の光学条件を切り替えて写像性を測定する際には、試験片保持部に試験片を設置し、試験片保持部を回転させることによって試験片に対する平行光の入射角度を調節する必要がある。透過測定の場合は平行光に対して試験片が垂直となるように角度を調節する。反射測定の場合は、光の反射率は試験片の材質によって異なるため、平行光に対する試験片の角度は、試験片の材質に合わせて規定の角度に調節する必要がある。例えばアルミニウムの写像性測定に関する規格では４５度が、プラスチックの写像性測定に関する規格では４５度及び６０度が規定されている。そのため、測定したい入射角度と反射受光角度に応じて平行光に対する試験片の角度を、その都度調節しなければならない。しかし、従来では試験片の角度合わせは指針を目盛盤に表示された指標に目視で確認しながら手動で合わせる方法で行っていたため、測定者に対して微細な作業が要求されるとともに、角度を調節した際に、試験片の角度がわずかにずれてしまい、測定値が異なってしまうことがあるという問題があった。
【０００９】
本考案はかかる問題点に鑑みてなされたもので、その目的は、写像性を測定する際の試験片の角度調節を、ずれが生じることなく、かつ簡便に行うことができる写像性測定器を提供することにある。
【課題を解決するための手段】
【００１０】
本考案の写像性測定器は、光源と、試験片に入射する光の像の大きさを調節するスリットと、光を平行光にする第一のレンズと、試験片を保持する試験片保持部と、平行光を試験片に反射もしくは透過させた光を集光する第二のレンズと、遮光部と透過部とを有する光学くしと、光学くしを移動させ、光学くしを透過した光を測定する受光器とを備え、試験片保持部を平行光に対し、任意の角度に変更可能な試験片角度調節機構を有し、試験片角度調節機構に角度位置合わせ機構を設けた。
【００１１】
さらに、本考案の写像性測定器では、試験片角度調節機構は、試験片保持部と、回転軸と、回転軸受部と、目盛盤とを有し、試験片保持部の下部に回転軸を接続し、目盛盤は円盤状であり、目盛盤の中心部に取付穴を有し、取付穴に回転軸受部を嵌挿し、回転軸を回転軸受部に挿入することで試験片保持部を平行光に対して任意の角度に変更可能にした。
【００１２】
本考案の写像性測定器では、角度位置合わせ機構は、第一の金具と、第二の金具とを有し、第一の金具を目盛盤には接触せずに、目盛盤に対して垂直の角度となるように試験片保持部の下部に配置し、第二の金具を目盛盤に配置し、第一の金具と第二の金具を接触させることで試験片保持部の角度を合わせるようにしても良い。
【００１３】
また、本考案の写像性測定器は角度位置合わせ機構に、試験片保持部の下部にプランジャを付設し、目盛盤にプランジャの凸部を挿入する孔を設け、凸部を孔に挿入することで、試験片保持部の角度を合わせるようにしても良い。
【考案の効果】
【００１４】
本考案の写像性測定器によれば、試験片角度調節機構に角度位置合わせ機構を設けたことにより、写像性を測定する際に、試験片に対する平行光の入射角度を調節することが簡便になり、角度を変更した際のずれが生じず、平行光に対し試験片の角度が正確な状態で測定することができる。
【図面の簡単な説明】
【００１５】
【図１】本考案における写像性測定器を表す図である。
【図２】本考案の第一の実施の形態の試験片角度調節機構の正面図である。
【図３】本考案の第一の実施の形態の試験片角度調節機構の側面図である。
【図４】本考案の第二の実施の形態の試験片角度調節機構の側面図である。
【考案を実施するための形態】
【００１６】
以下、本考案の実施の形態について図面を参照して詳細に説明する。
【００１７】
＜第一の実施の形態＞
図１は、本考案に係る写像性測定器１を表す図である。
本考案の写像性測定器１は、光源となるランプ２、スリット３、第一のレンズ４、試験片保持部５、指針１３、試験片角度変更手段６、目盛盤８、目盛盤８に表示された指標９、台７、第二のレンズ１０、光学くし１１、受光器１２、演算部（図示せず）を備える。
【００１８】
本考案の写像性測定器１は、ランプ２、スリット３、第一のレンズ４の中心を結んだ光軸上に試験片Ｓを保持する試験片保持部５を有する。試験片保持部５には測定開口１６が設けられており、測定開口１６により試験片保持部５で固定された試験片Ｓに、光が直接照射される。また、試験片保持部５の下部には試験片角度変更手段６を設けており、試験片保持部５の角度を変更可能としている。
【００１９】
台７には第二のレンズ１０、光学くし１１、受光器１２が、試験片Ｓで反射または透過した光の光軸に合わせて設けられており、台７は試験片角度変更手段６を軸に回転可能としている。試験片角度変更手段６には目盛盤８が備えられており、目盛盤８に合わせて試験片保持部５の角度を変更し、試験片角度変更手段６の動きに合わせて台７を回転させて、試験片Ｓを透過した、もしくは試験片Ｓを反射した目盛盤８で合わせた角度の光を受光器１２で測定することができる。
【００２０】
光学くし１１は、遮光部と透過部との比が１対１の縞模様が並んでおり、自動で移動する構造となっている。試験片Ｓで反射あるいは透過した光は第二のレンズ１０により光学くし１１に結像され、光学くし１１の透過部を透過した光が受光器１２で受光され、受光した光量に基づき演算部で写像性値が算出される。
【００２１】
図２は本考案の試験片角度調節機構１７の正面図である。本考案の第一の実施の形態では、試験片角度調節機構１７の角度位置合わせ機構に接触型角度位置合わせ機構１４を用いる。
【００２２】
試験片角度調節機構１７は、試験片保持部５と試験片保持部５に付設した指針１３と、試験片角度変更手段６と、指標９が表示された目盛盤８で構成されている。
【００２３】
試験片保持部５は裏面に設けた保持具５ａにより試験片Ｓを狭持して試験片Ｓを固定するものであり、試験片角度変更手段６によって第一のレンズ４からの平行光に対して任意の角度に変更可能な構造になっている。
【００２４】
試験片角度変更手段６は、写像性測定器１の底部に固定されており、試験片角度変更手段６内部に設けた回転軸受部６ｂと、試験片保持部５の下部に設けた回転軸６ａにより構成されており、回転軸６ａを回転軸受部６ｂに挿入することで、試験片保持部５を回転させることを可能にしたものである。
【００２５】
目盛盤８には、角度を表す指標９が表示されている。試験片保持部５の指針１３を指標９に合わせることで試験片保持部５を目的の角度に合わせることができる。また、指針１３が指標９で表示された目的の角度を指しているかを見れば、試験片保持部５が目的の角度になっているのかを確認することができる。
【００２６】
接触型角度位置合わせ機構１４は、試験片保持部５に第一の金具１４ａを、目盛盤８に第二の金具１４ｂを所定の位置に設けたものであり、試験片保持部５を回転させ目的の角度にする際、試験片保持部５が目的の角度になった時に試験片保持部５の第一の金具１４ａと目盛盤８の第二の金具１４ｂが接触し、それ以上回転しない構造になっている。
【００２７】
図３は本考案の第一の実施の形態の試験片角度調節機構１７の側面図である。例えば第二の金具１４ｂは試験片Ｓに平行光が入射する角度が４５度となる位置に設置され、第二の金具１４ｂ´は試験片Ｓに平行光が入射する角度が６０度となる位置に設置されており、第一の金具１４ａは第二の金具１４ｂに接触し４５度の位置で角度合わせをしている。
【００２８】
[第一の実施の形態の作用・効果]
このように、本考案の写像性測定器１では、試験片角度調節機構１７に接触型角度位置合わせ機構１４を設けたことにより試験片保持部５の下部に設けた第一の金具１４ａと目盛盤８の第二の金具１４ｂが試験片保持部５が目的の角度になる位置で接触し、止まる構造となっている。これにより、試験片保持部５を目的の角度に調節する際は、試験片保持部５と目盛盤８の互いの金具を接触させれば、その位置が試験片保持部５の目的の角度になるため、試験片保持部５の角度調節を簡便かつ正確に行うことができる。
【００２９】
更に、第二の金具１４ｂは複数設けることが可能である。例えば試験片保持部５の目的の角度が複数ある場合、目盛盤８にそれぞれの目的の角度に対応した第二の金具１４ｂを設けることで試験片保持部５を複数の目的の角度に合わせることを簡便かつ正確に行うことができる。
【００３０】
具体的には、目盛盤８に第二の金具１４ｂ、１４ｂ´をそれぞれの目的角度に対応した位置に設け、第一の金具１４ａを目的の角度に対応した第二の金具１４ｂ、または第二の金具１４ｂ´に接触させることで試験片保持部５が目的の角度になる。また、試験片角度変更手段６によって試験片保持部５を回転させて角度変更を行う場合接触型角度位置合わせ機構１４の構造では試験片保持部５の回転可能範囲は図３の１４ｂ、１４ｂ´のように二つの第二の金具の間のみであるが、試験片角度変更手段６は回転軸６ａと回転軸受部６ｂによる取り外し可能な構造となっているため、回転可能範囲のみでなく、試験片保持部５に付随している回転軸６ａを回転軸受部６ｂから取り外すことで三つめ以降の第二の金具に第一の金具１４ａを接触させ角度調節を行うことができる。
【００３１】
＜第二の実施の形態＞
続いて上記第一の実施の形態の変形例（第二の実施の形態）について説明する。なお、第一の実施の形態における構成要素と同一のものには同一の符号を付し、適宜説明を省略する。
【００３２】
図４は、本考案の第二の実施の形態に係る試験片角度調節機構１７´の側面図である。本考案の第二の実施の形態では、試験片角度調節機構１７´の角度位置合わせ機構に嵌め込み型角度位置合わせ機構１５を用いる。
【００３３】
嵌め込み型角度位置合わせ機構１５は、試験片保持部５´の背面にプランジャ取付具１８により取り付けられたプランジャ１５ａとプランジャの凸部１５ｂと目盛盤８に設けた孔１５ｃにより構成され、目盛盤８の目的の角度に孔１５ｃを設け、プランジャ１５ａの凸部１５ｂを挿入する構造となっている。
【００３４】
[第二の実施の形態の作用・効果]
嵌め込み型角度位置合わせ機構１５では、目盛盤８´に試験片保持部５´が目的の角度になるように対応した位置に孔１５ｃを設け、試験片保持部５´に設けたプランジャ１５ａの凸部１５ｂを孔１５ｃに挿入することで、試験片保持部５´の角度を調整可能としている。これにより、写像性測定の際の試験片保持部５´の角度調節を簡便かつ正確に行うことができる。
【００３５】
更に、孔１５ｃは複数設けることが可能である。例えば試験片保持部５´の目的の角度が複数ある場合、目盛盤８´にそれぞれの目的の角度に対応した孔１５ｃを設けることで試験片保持部５´を複数の目的の角度に合わせることを簡便かつ正確に行うことができる。
【００３６】
以上、実施の形態を挙げて本考案を説明したが、上記実施の形態において説明した各部の配置位置や形状、個数などは例示であって、本考案は上記実施の形態に限定されるものではない。具体的には、接触型角度位置合わせ機構１４の第一の金具１４ａ、第二の金具１４ｂの形状は互いが正しい位置で接触すれば別の形状でもよく、試験片保持部５が目的の角度になった時に接触し、接触する位置が変化しないものであれば金具でなくてもよい。また嵌め込み型角度位置合わせ機構１５のプランジャ１５ａの凸部１５ｂと孔１５ｃは、試験片保持部５´が目的の位置になる際互いを嵌め込むことが可能であれば別の形状であってもよい。
【符号の説明】
【００３７】
１…写像性測定器、２…ランプ、３…スリット、４…第一のレンズ、５、５´…試験片保持部、５ａ…保持具、６ａ…回転軸、６ｂ…回転軸受部、６…試験片角度変更手段、７…台、８、８´…目盛盤、９…指標、１０…第二のレンズ、１１…光学くし、１２…受光器、１３…指針、１４ａ…第一の金具、１４ｂ、１４ｂ´…第二の金具、１４…接触型角度位置合わせ機構、１５ａ…プランジャ、１５ｂ…凸部、１５ｃ…孔、１５…嵌め込み型角度位置合わせ機構、１６…測定開口、１７、１７´…試験片角度調節機構、１８…プランジャ取付具、Ｓ…試験片
【図１】
0003209889.tif 000003
【図２】
0003209889.tif 000004
【図３】
0003209889.tif 000005
【図４】
0003209889.tif 000006